(57)【要約】【課題】物品貯蔵室の奥側に貯蔵した物品を前側から合理的に目視できるようにした物品貯蔵庫を提供する。【解決手段】物品貯蔵庫１００は物品８０ｘを貯蔵する貯蔵室８１Ａの奥側に内部を照明するための光源７０を設けた。光源７０の直前に配置した半透明鏡５０によって物品８０ｘの反射像使用者の目で目視できる。光源７０によって前側に可視光７０ｘ、また、背面側の空気の流路８１Ｙ１に紫外線７０ｕを放射する。可視光７０ｘで庫内を照明し、紫外線７０ｕによって殺菌・脱臭を行う。光源７０それ自体の前面に所要の記号７６Ａを付して光源７０の動作中のみ記号７６Ａを前側から目視し得るように構成する。半透明鏡５０を水平面内または垂直面内もしくはその両方で凸曲面状して半透明鏡５０による視野を拡大する。【選択図】      図１
2005016899.tif 000002
【特許請求の範囲】
【請求項１】
物品を貯蔵する貯蔵室の奥部分に光源を設けた物品貯蔵庫であって、
前記光源の直前に配置した半透明鏡によって前記貯蔵室の前側から前記物品の反射像を目視し得るようにした半透明鏡配置手段
を具備することを特徴とする物品貯蔵庫。
【請求項２】
物品を冷却して貯蔵する貯蔵室の奥部分に前記貯蔵室の内部に可視光を放射するとともに、前記貯蔵室の背面側に配置した空気の流路に紫外線を放射する光源を設けた物品貯蔵庫であって、
前記光源の直前に配置した半透明鏡によって前記貯蔵室の前側から前記物品の反射像を目視し得るようにした半透明鏡配置手段
を具備することを特徴とする物品貯蔵庫。
【請求項３】
前記光源それ自体の前面に所要の記号を付することにより、前記光源の動作中のみ、前記記号を前記貯蔵室の前側から目視し得るようにしたことを特徴とする請求項１または請求項２記載の物品貯蔵庫。
【請求項４】
前記半透明鏡を水平面内において凸曲面状に形成したことを特徴とする請求項１から請求項３のいずれかに記載の物品貯蔵庫。
【請求項５】
前記半透明鏡を垂直面内において凸曲面状に形成したことを特徴とする請求項１から請求項３のいずれかに記載の物品貯蔵庫。
【発明の詳細な説明】
【０００１】
【発明の属する技術分野】
この発明は、物品を貯蔵する貯蔵室を有する物品貯蔵庫に関するものである。なお、この発明において、物品貯蔵庫とは、物品をそのまま貯蔵する貯蔵室、または、物品を冷却もしくは加温して貯蔵する貯蔵室を有する貯蔵庫などの総称である。
【０００２】
また、上記の冷却には、冷却対象とする物品を凍結させない状態の所定の温度に冷却する構成、すなわち、一般に冷蔵と言われるものと、冷却対象とする物品を凍結させるように冷却する構成、すなわち、一般に冷凍と言われるものとがある。
【０００３】
そして、この発明では、これらの冷却のうちの１つの冷却、または、これらのうちの任意の複数の冷却を組み合わせた冷却を総称して冷却というのである。したがって、これらの冷蔵・冷凍の構成のうちの１つの構成、または、これらを組み合わせた構成をもつ冷却庫は、物品貯蔵庫の一種に属することになるものである。
【０００４】
【従来の技術】
こうした物品貯蔵庫の奥部分に照明用と殺菌用とを兼ねた光源を設ける物品貯蔵庫の構成として、図７〜図９のような物品貯蔵庫１００の構成（以下、第１従来技術という）が周知である。なお、以下に説明する各図において、同一の符号で示す部分は、いずれかの図によって説明する同一符号の部分と同一の機能をもつ部分である。
【０００５】
図７〜図９において、物品貯蔵庫１００は、断熱外箱９０と適宜に設けられた各仕切壁部分９１Ａ・９１・９２Ａによって仕切られた複数の貯蔵室８１Ａ・８１Ｂ・８２Ａ・８２Ｂによって構成されている。
【０００６】
貯蔵室８１Ａには、比較的に取出頻度の多い飲物・加工食品などの物品を冷蔵による冷却を行ないながら貯蔵する。貯蔵室８１Ｂには、比較的に取出頻度の少ない野菜類などの物品を冷蔵による冷却を行いながら貯蔵する。貯蔵室８２Ａには、魚肉類などを冷凍による冷却を行いながら貯蔵する。貯蔵室８２Ｂには、冷凍食品類などを冷凍を行いながら貯蔵する。
【０００７】
また、物品の出し入れは、貯蔵室８１Ａは前側の開閉扉８１Ａ１を開閉して行い、貯蔵室８１Ｂは前蓋８１Ｂ１とともに引き出せる引出によって行い、貯蔵室８２Ａは前蓋８２Ａ１とともに引き出せる引出によって行い、貯蔵室８２Ｂは前蓋８２Ｂ１とともに引き出せる引出によって行う。そして、貯蔵室８１Ａには、小さい物品を数多く貯蔵するため、複数の棚４１〜４４を設けている。
【０００８】
各貯蔵室８１Ａ・８１Ｂ・８２Ａ・８２Ｂの内部は、例えば、図８のように、種々の引出箱や棚を設けて構成してあり、各内部は、例えば、圧縮冷媒による冷凍サイクルによって冷却している。
【０００９】
この冷却は、貯蔵室８１Ａ・８１Ｂ内の空気は、冷却器２１、例えば、圧縮冷媒の蒸発器により冷却された後に送風機６１により加勢されて、実線で示す各流路を通って貯蔵している物品を冷却し、点線で示す流路を通って冷却器２１に戻るという循環を繰り返す。
【００１０】
また、貯蔵室８２Ａ・８２Ｂ内の空気は、冷却器２２、例えば、圧縮冷媒の蒸発器により冷却された後に送風機６２により加勢されて、実線で示す各流路を通って貯蔵している物品を冷却し、点線で示す流路を通って冷却器２２に戻るという循環を繰り返す。
【００１１】
そして、空気の流路は物品貯蔵庫１００の奥部分に設けられていて図面の紙面に垂直で縦方向の仕切壁８１ｅと、図面の紙面に平行で縦方向に仕切壁（図示せず）とによって中央を通る流路８１Ｙ１と両脇側を通る流路（図示せず）８１Ｙ２とに分割して形成されており、点線で示す矢印の流路は中央を通る流路８１Ｙ１を通って冷却器２１に至り、実線の矢印で示す流路は中央の流路から天井側の流路８１Ｘ１と両脇の流路８１Ｙ２とを通って貯蔵室８１Ａ・８１Ｂ側に送出されるように構成してある。
【００１２】
貯蔵室８１Ａの奥部分に配置した光源７０は、後記のように、可視光７０ｘを放射するとともに、貯蔵室８１Ａの背面側に、仕切壁８１ｅで仕切って、配置した空気の流路８１Ｙ１に紫外線７０ｕを放射するように構成してある。なお、紫外線７０ｕは、例えば、波長２５４ｎｍ程度の場合には殺菌作用があり、また、波長１８５ｎｍ以下の場合にはオゾン発生による脱臭作用と殺菌作用があることが知られている。
【００１３】
光源７０の直前には、光源７０の保護覆７５、例えば、乳白色半透明の合成樹脂材で形成した保護覆を設けるとともに、保護覆７５の前面には、光源７０から放射された紫外線による庫内の空気や流路の殺菌や浄化を行うようにした機能が動作している旨の表示、例えば、図１０のような「Ｃｌｅａｎ」の文字や適宜の図形・符合などのマーク（この発明において、記号という）７６を施すことによって、その記号７６により、使用者に、当該機能が動作していることを認識させるように構成している。
【００１４】
上記の光源７０としては、図１１のように、例えば、水銀蒸気、アルゴンなど放電用ガス体７０Ａを封入するとともに、対向配置した電極７３・７４に所要の電圧を与えて放電光を得る放電灯において、後側には放電光のうちの紫外線成分を透過するガラス板材７１を、また、前側には放電光のうちの２００ｎｍ以下の紫外線成分をカットするガラス板材７２を配置した光源７０の構成（以下、第２従来技術という）が周知である。そして、ガラス板材７１側からは紫外線７０ｕが放射され、また、ガラス板材７２側からは可視光７０ｘが放射されているものである。また、可視光成分を透過して紫外線成分をカットするガラス板材７２の内面側に蛍光膜を施すことにより可視光を増加させた光源も周知である。なお、可視光７０ｘを貯蔵室８１１内に行き渡らせるために、棚４１〜４３を透明板または金網状にしている。
【００１５】
そして、光源７０の取付と配線は、適宜の保持具、例えば、緩衝ゴムを介して保持する保持枠（図示せず）によって仕切壁８１ｅに固定するとともに、仕切壁８１ｅに沿って配線された電線（図示せず）を電極７３・７４に設けた端子７３Ａ・７４Ａに適宜の接続具（図示せず）、例えば、接続部分に防水被服を施したコネクタによって接続してある。
【００１６】
【特許文献１】
特開２００２−３５００４１号公報
特許文献１は第１従来技術・第２従来技術を開示している。
【００１７】
【発明が解決しようとする課題】
上記の第１従来技術による物品貯蔵庫１００では、例えば、貯蔵室８１Ａの各棚６１〜６４に小さい物品を数多く貯蔵した場合に、貯蔵室８１Ａの奥部分に入れ込まれた物品が、前側の物品に邪魔されて、前側からは見えない状態になるため、所要の物品が貯蔵されているにもかかわらず、その物品を新たに無駄に購入してしまうという不都合が生ずる。
【００１８】
また、このため、その物品の使用期限を過ぎて使用不能になったものまでもが、貯蔵したままになり、貯蔵効率の低下や、電力料金などの経済面での損失を招いてしまうなどの不都合がある。
【００１９】
上記のような不都合は、貯蔵室８１Ａのような冷蔵による冷却を行う貯蔵室をもつ物品貯蔵庫に限らず、他の方法で物品を貯蔵する貯蔵室をもつ物品貯蔵庫でも、同様に生ずるものである。
【００２０】
上記の第１従来技術の構成において、上記の第２従来技術の紫外線による機能をもつ光源７０を設けた構成では、記号７６が保護覆７５の前面に付してあるため、光源７０それ自体または光源７０に電源を与える回路に故障が生じて、光源７０が動作しない状態の場合でも、機能動作を示す記号７６が前面側から目視できるので、使用者が当該機能動作が行われているものと勘違いしてしまうという不都合が生ずる。
このため、これらの不都合をなくした物品貯蔵庫の提供が望まれているという課題がある。
【００２１】
【課題を解決するための手段】
この発明は、第１には、上記のような
物品を貯蔵する貯蔵室の奥部分に光源を設けた物品貯蔵庫において、
上記の光源の直前に配置した半透明鏡によって上記の貯蔵室の前側から上記の物品の反射像を目視し得るようにした半透明鏡配置手段
を設ける第１の構成により上記の課題を解決したものである。
【００２２】
第２には、上記のような
物品を冷却して貯蔵する貯蔵室の奥部分に、この貯蔵室の内部に可視光を放射するとともに、上記の貯蔵室の背面側に配置した空気の流路に紫外線を放射する光源を設けた物品貯蔵庫において、
上記の光源の直前に配置した半透明鏡によって上記の貯蔵室の前側から上記の物品の反射像を目視し得るようにした半透明鏡配置手段
を設ける第２の構成により上記の課題を解決したものである。
【００２３】
第３には、上記の第１の構成・第２の構成において、
上記の光源それ自体の前面に所要の記号を付することにより、この記号を上記の光源の動作中に、上記の貯蔵室の前側から目視し得るようにした第５の構成により上記の課題を解決したものである。
【００２４】
第４には、上記の第１の構成〜第３の構成において、
上記の半透明鏡を水平面内において凸曲面状に形成した第３の構成により上記の課題を解決したものである。
【００２５】
第５には、上記の第１の構成〜第３の構成において、
上記の半透明鏡を垂直面内において凸曲面状に形成した第４の構成により上記の課題を解決したものである。
【００２６】
【発明の実施の形態】
この発明の実施の形態として、この発明を上記の第１従来技術の構成に適用した実施例を説明する。
【００２７】
【実施例】
〔第１実施例〕
以下、図１〜図５により第１実施例を説明する。この第１実施例の構成が上記の第１従来技術の構成と異なる箇所は次の箇所である。
【００２８】
第１には、光源７０の保護覆７５に代えて、図１のように、光源７０の直前に半透明鏡５０、すなわち、ハーフミラーを配置した箇所である。この発明において、光源７０の直前とは、図４において、半透明鏡５０それ自体の前面から、貯蔵する物品８０ｘを貯蔵室８１Ａ内の最も奥に置く位置までの間の任意の位置を言うものである。
【００２９】
また、半透明鏡５０は、例えば、透明な合成樹脂板の片面、例えば、背面側に、鏡面５０ｘとしてアルミニウムの蒸着膜を施した合成樹脂材のフイルムを貼り合わせて構成したものであって、この蒸着膜は、例えば、背面の光源７０からの可視光７０ｘの７０％程度を透過させるとともに、貯蔵した物品８０ｘの反射像が見られる程度の半透明の鏡面に形成したものである。
【００３０】
第２には、半透明鏡５０によって、貯蔵室８１Ａの前側から貯蔵室８１Ａに貯蔵した物品８０ｘの反射像を目視し得るよう構成にした箇所である。つまり、例えば、図４のように、光源７０からの可視光７０ｘが半透明鏡５０を透過した透過光７０ｙが、貯蔵室８１Ａの奥の方に貯蔵した物品８０ｘの背面側で反射して反射光７０ｚが得られる。
【００３１】
この反射光７０ｚが、さらに、半透明鏡５０の鏡面５０ｘで反射して反射光５０ｚになり、この反射光５０ｚによる反射像を、貯蔵室８１Ａの前面から、使用者の目５５によって目視し得るように構成した箇所である。
【００３２】
なお、図４の配置では、反射光５０ｚが、貯蔵室８１Ａの手前側に貯蔵した物品によって遮られてしまい、使用者の目５５まで到達し得ないように思えるが、実際には、貯蔵した物品８０ｘよりも高い位置または低い位置に目５５を置いてみるので、垂直面内での反射角も生ずるため、手前の物品８０ｘの頭越しに奥の物品８０ｘの反射像を見ることができるわけである。
【００３３】
このため、半透明鏡５０は、図２のように、半透明鏡５０の高さＨ１をなるべく大きくし、半透明鏡５０の幅Ｗ１を貯蔵室８１Ａの内幅Ｗ２の１／２程度以上の大きさにしておくことが好ましい。
【００３４】
そして、第３には、光源７０の保護覆７５の前面に付していた所要の記号７６、すなわち、マークに代えて、図５のように、光源７０それ自体の前面に所要の記号７６Ａ、すなわち、マークを付するようにした箇所である。
【００３５】
ここで、光源７０それ自体の前面に記号７６Ａを付するには、例えば、光源７０の前側のガラス板７２の内側に形成した可視光を発光させるための蛍光膜自体を記号７６Ａの形状にしておき、光源７０が発光動作を行うときには、記号７６Ａも発光するように構成しているものである。そして、蛍光膜の成分の選択により、記号７６Ａを白色・緑色・赤色などのいずれかによって発光させることができることは言うまでもない。
【００３６】
なお、記号７６Ａは、図５では、作図の都合上、黒色にしてあるが、実際には、白色または黒抜きの反転画像にして半透明鏡５０を透過する記号７６Ａの発光色による可視光７０ｘを見易くすることが好ましい。
【００３７】
第４には、上記の記号７６Ａが光源７０が動作しているときのみ、つまり、光源７０が可視光７０ｘを放射しているときのみ、半透明鏡５０を通して、貯蔵室８１Ａの前側から目視し得るようにした箇所である。
ここで、可視光７０ｘは貯蔵室８１Ａの内部全体を照明するものではなく、貯蔵室８１Ａの内部全体は、例えば、図２のように、開閉扉８１Ａ１を開いた際に動作する切換スイッチ８１ｘにより点灯動作する照明灯８１ｙ、例えば、白熱灯または蛍光灯を設けて貯蔵室８１Ａの内部を照明するようにしてある。
【００３８】
つまり、この第１実施例の構成は、概括的には、第１には、
物品８０ｘを貯蔵する貯蔵室８１Ａの奥部分に光源７０を設けた物品貯蔵庫１００において、
上記の光源７０の直前に配置した半透明鏡５０によって上記の貯蔵室８１Ａの前側から上記の物品８０ｘの反射像、例えば、反射光５０ｚによる反射像を目視、すなわち、使用者の目５５により目視し得るようにした半透明鏡配置手段
を設けた上記第１の構成を構成していることになるものである。
【００３９】
また、第２には、
物品８０ｘを冷却して貯蔵する貯蔵室８１Ａの奥部分に、この貯蔵室８１Ａの内部に可視光７０ｘを放射するとともに、上記の貯蔵室８１Ａの背面側に配置した空気の流路８１Ｙ１に紫外線７０ｕを放射する光源７０を設けた物品貯蔵庫１００において、
上記の光源７０の直前に配置した半透明鏡５０によって上記の貯蔵室８１Ａの前側から上記の物品８０ｘの反射像を目視し得るようにした半透明鏡配置手段
を設けた上記の第２の構成を構成していることになるものである。
【００４０】
さらに、第３には、上記の第１の構成・第２の構成において、
上記の光源７０それ自体の前面に所要の記号７６Ａを付することにより、この記号７６Ａを上記の光源７０の動作中のみ、上記の貯蔵室８１Ａの前側から目視し得るようにした上記の第５の構成を構成していることになるものである。
【００４１】
したがって、上記の第１の構成・第２の構成によれば、小さい物品８０ｘを数多く貯蔵した場合でも、貯蔵室８１Ａの奥部分に入れ込まれた物品８０ｘの反射像を半透明鏡５０によって物品貯蔵庫１００のの前側から目視できるため、所要の物品８０ｘの貯蔵の有無を容易に把握できるという効果が得られる。
【００４２】
また、それよって、物品８０ｘの使用期限切れによる無駄や物品の無駄買いをを無くして、貯蔵効率や経済性を向上することができる。さらに、上記の第３の構成によれば、光源７０それ自体の前面に記号７６Ａを付すとともに、その前側に半透明鏡５０を配置してあるため、使用者は、光源７０が動作中のみしか、記号７６Ａを見ることができないので、殺菌動作や浄化動作の故障を適確に確認し、保守を容易にできるという効果が得られる。
【００４３】
〔第２実施例〕
以下、図１〜図６により第２実施例を説明する。この第２実施例の構成が上記の第１実施例の構成と異なる箇所は次の箇所である。
【００４４】
第１には、図６のように、半透明鏡５０を水平面内において凸曲面状に形成した箇所である。
そして、第２には、この凸曲面状の面によって、半透明鏡５０から外れて半透明鏡５０に面していない左右の箇所に置かれた物品８０ｘ（図示せず）からの反射光７０ｚによる反射像をも目視し得るようにした箇所である。
【００４５】
つまり、この第２実施例の構成は、概括的には、上記の第１の構成〜第３の構成において、
上記の半透明鏡５０を水平面内において凸曲面状に形成した上記の第４の構成を構成していることになるものである。
【００４６】
したがって、この第４の構成によれば、物品貯蔵庫１００の構造上の理由から、図２における半透明鏡５０の幅Ｗ１を余り大きくできない場合でも、半透明鏡５０の左右の箇所に置かれた物品８０ｘの反射像を目視できるため、上記の第１の構成・第２の構成における効果を得ることができる。
なお、この発明において、凸曲面状は、凸曲面の他に、凸曲面に似せた折れ面による形状を含むものである。
【００４７】
〔第３実施例〕
以下、図１〜図６により第３実施例を説明する。この第３実施例の構成が上記の第２実施例の構成と異なる箇所は次の箇所である。
【００４８】
第１には、図６と同様の凸曲面を垂直面内において設けることにより、半透明鏡５０を垂直面内において凸曲面状に形成した箇所である。
そして、第２には、この凸曲面状の面によって、半透明鏡５０から外れて半透明鏡５０に面していない上下の箇所に置かれた物品８０ｘ（図示せず）からの反射光７０ｚによる反射像をも目視し得るようにした箇所である。
【００４９】
つまり、この第３実施例の構成は、概括的には、上記の第１の構成〜第３の構成において、
上記の半透明鏡５０を垂直面内において凸曲面状に形成した上記の第５の構成を構成していることになるものである。
【００５０】
したがって、この第５の構成によれば、物品貯蔵庫１００の構造上の理由から、図２における半透明鏡５０の高さＨ１を余り大きくできない場合でも、半透明鏡５０の上下の箇所に置かれた物品８０ｘの反射像を目視できるため、上記の第１の構成・第２の構成における効果を得ることができる。
【００５１】
〔変形実施〕
この発明は次のように変形して実施することを含むものである。
（１）照明灯８１ｙの光量を、記号７６Ａの透過光の目視を妨げない程度の光量にして、照明灯８１ｙによる反射光を半透明鏡５０で反射させて、部品の反射像を、上記の第１実施例の場合よりも明るい反射像にさせる。
【００５２】
（２）半透明鏡５０を仕切壁８１ｅの全面にわたる大きさにして構成する。
（３）半透明鏡５０を水平面内と垂直面内との両方を凸曲面状に形成して構成する。
（４）物品８０ｘを殺菌して貯蔵する貯蔵庫１００に適用して構成する。
（５）物品８０ｘを加温して貯蔵する貯蔵庫１００に適用して構成する。
（６）物品８０ｘを弱冷凍のみ、または、冷凍のみを行う貯蔵庫１００に適用して構成する。
【００５３】
（７）開閉扉８１Ａ１のみを設けた貯蔵庫１００に適用して構成する。
（８）送風機６１・冷却器２１の配置位置を下方に移し、光源７０を送風機６１よりも上の位置に配置するように変更して構成する。
（９）冷却器２１の配置位置を上方に移し、光源７０を冷却器２１よりも下の位置に配置するように変更して構成する。
【００５４】
（１０）光源７０の位置を半透明鏡５０の中央に位置に変更して構成する。
（１１）半透明鏡５０の下方位置にも光源７０を追加配置するように変更して構成する。
（１２）照明灯８１ｙを設けない貯蔵室を有する物品貯蔵庫に適用して構成する。
（１３）半透明鏡５０を、表面が光を反射できるような光沢面で形成した半透明板で形成し、その光沢面を鏡面として用いるようにした疑似的な半透明鏡によって構成する。
【００５５】
【発明の効果】
この発明によれば、以上のように、半透明鏡によって、小さい物品を数多く貯蔵した場合でも、貯蔵室の奥部分に入れ込まれた物品の反射像を物品貯蔵庫の前側から目視できるため、所要の物品の貯蔵の有無を容易に把握できる。
【００５６】
また、それよって、物品の使用期限切れによる無駄や、物品の無駄買いを無くして、貯蔵効率や経済性を向上することができる。さらに、光源それ自体の前面に記号を付すとともに、その前側に半透明鏡を配置してあるため、使用者は、光源が動作中のみしか、記号を見ることができないので、殺菌動作や浄化動作の故障を適確に確認し、保守を容易にできる。
【００５７】
物品貯蔵庫の構造上の理由から、半透明鏡の幅を余り大きくできない場合でも、半透明鏡を凸曲面状に形成することにより、半透明鏡の左右または上下の箇所に置かれた物品の反射像を目視により確認できるなどの特長が得られる効果がある。
【図面の簡単な説明】
図面中、図１〜図６はこの発明の実施例を、図７〜図１１は従来技術を示し、各図の内容は次のとおりである。
【図１】全体構成縦断側面図
【図２】全体構成内部正面図
【図３】要部構成正面図
【図４】要部構成横断平面図
【図５】要部構成正面・縦断側面図
【図６】要部構成横断平面図
【図７】全体構成外観斜視図
【図８】全体構成縦断側面図
【図９】全体構成内部正面図
【図１０】要部構成正面図
【図１１】要部構成正面・縦断側面図
【符号の説明】
２１  冷却器
２２  冷却器
４１〜４４  棚
５０  半透明鏡
５０ｘ  鏡面
５０ｚ  反射光
５５  目
６１  送風機
６２  送風機
７０  光源
７０Ａ  放電用ガス体
７０ｕ  紫外線
７０ｘ  可視光
７０ｙ  透過光
７０ｚ  反射光
７１  ガラス板材
７２  ガラス板材
７３・７４  電極
７３Ａ・７４Ａ  端子
７５  保護覆
７６  記号
７６Ａ  記号
８０ｘ  物品
８１Ａ  貯蔵室
８１Ａ１  開閉扉
８１Ｂ  貯蔵室
８１Ｂ１  前蓋
８１ｅ  仕切壁
８１Ｘ１  流路
８１Ｙ１  流路
８１Ｙ２  流路
８１ｘ  切換スイッチ
８１ｙ  照明灯
８２Ａ  貯蔵室
８２Ａ１  前蓋
８２Ｂ  貯蔵室
８２Ｂ１  前蓋
９０  本体（断熱外箱）
９１  仕切壁部分
９１Ａ  仕切壁部分
９２Ａ  仕切壁部分
１００  物品貯蔵庫
Ｈ１  高さ
Ｗ１  幅
Ｗ２  内幅
【図１】
2005016899.tif 000003
【図２】
2005016899.tif 000004
【図３】
2005016899.tif 000005
【図４】
2005016899.tif 000006
【図５】
2005016899.tif 000007
【図６】
2005016899.tif 000008
【図７】
2005016899.tif 000009
【図８】
2005016899.tif 000010
【図９】
2005016899.tif 000011
【図１０】
2005016899.tif 000012
【図１１】
2005016899.tif 000013